(57)【要約】【課題】追い焚き時に熱い湯が吐出されることを防止する。【解決手段】浴槽の側壁内側に設けられるケース部材を、ケース本体１８を設けて形成し、浴槽への湯の吐出口３０と、浴槽湯水をケース部材内に導入する第１の湯の吸い込み口と第２の湯の吸い込み口３１とを設ける。第１の湯の吸い込み口は追い焚き循環通路の戻り管側とケース部材の第２の室２に連通させ、第１の室１を追い焚き循環通路の往管側に連通させ、第３の室３をフィルタ無しの第２の湯の吸い込み口３１に連通させる。第２の湯の吸い込み口３１を第１の室１からの湯の導出口３４よりも大きく形成し、湯の導出口３４から湯が導出されるときのエゼクタ効果によって浴槽湯水を第３の室３を介して第２の湯の吸い込み口３１から吸い込んで第１の室１からの湯の導出口３４から導出される湯に合流させ、連通通路３５を通して混合して湯の吐出口３０から導出する。【選択図】図１
2015230106.tif 000002
【特許請求の範囲】
【請求項１】
浴槽の側壁内側に設けられるケース部材を有して、浴槽湯水の追い焚き循環通路に接続される追い焚き循環金具であって、前記ケース部材には前記浴槽への湯の吐出口と、前記浴槽湯水を前記ケース部材内に導入する第１と第２の湯の吸い込み口とが設けられて、該第１の湯の吸い込み口は前記追い焚き循環通路の戻り管側に連通し、前記第２の湯の吸い込み口はフィルタ無しで設けられており、前記ケース部材内には、前記追い焚き循環通路の往管に連通する第１の室と、前記追い焚き循環通路の戻り管に連通する第２の室と、前記第２の湯の吸い込み口に連通する第３の室と、前記第１の室からの湯の導出口を前記浴槽への湯の吐出口に連通させる連通通路とが形成されると共に、前記第３の室が該連通通路を介してまたは該連通通路の外周側を前記第３の室内の湯水が通る態様で前記湯の吐出口に連通し、前記第２の湯の吸い込み口は前記第１の室からの湯の導出口よりも大きく形成されて、該湯の導出口から湯が導出されるときのエゼクタ効果によって浴槽湯水が前記第３の室を介して前記第２の湯の吸い込み口から吸い込まれ、該浴槽湯水が前記第１の室からの湯の導出口から導出される湯に合流して前記連通通路内で混合されて又は該連通通路の外周側を通って混合されて前記湯の吐出口から導出される構成と成していることを特徴とする追い焚き循環管路。
【請求項２】
第２の湯の吸い込み口はケース部材の側部側に形成され、湯の吐出口は前記ケース部材の側部下方側に形成されていることを特徴とする請求項１記載の追い焚き循環金具。
【請求項３】
浴槽湯水を循環させる追い焚き循環ポンプと、該追い焚き循環ポンプの駆動によって循環する浴槽湯水の加熱用の追い焚き熱交換器とが設けられている追い焚き循環通路を有し、該追い焚き循環通路が請求項１または請求項２記載の追い焚き循環金具を介して浴槽に接続されることを特徴とする風呂装置。
【発明の詳細な説明】
【技術分野】
【０００１】
本発明は、浴槽に追い焚き循環通路を接続するための追い焚き循環金具およびその追い焚き循環金具を介して浴槽に接続される風呂装置に関するものである。
【背景技術】
【０００２】
図７には、風呂装置のシステム構成例が示されている。この風呂装置は、給湯動作機能と、浴槽２６への湯張りを含む自動運転の動作機能と、浴槽水の追い焚き動作機能を備えており、屋外に配置されている。
【０００３】
この風呂装置には、器具ケース２７内に、追い焚きバーナ１６と給湯バーナ１０とが設けられており、給湯バーナ１０の上側には給湯熱交換器７が、追い焚きバーナ１６の上側には浴槽水の追い焚き用の追い焚き熱交換器１５が、それぞれ設けられている。バーナ１０，１６の燃料としてはこの風呂装置ではガスが用いられており、バーナ１０，１６の燃焼時には、図示されていない給排気用の燃焼ファンによって燃焼用の空気をバーナ１０，１６に送る。給湯熱交換器７の入側には給水通路５が設けられ、該給水通路５には、入水温度センサ６と流量センサ２０とが設けられている。給湯熱交換器７の出側には給湯通路１１が接続されており、給湯通路１１には給湯温度センサ８が設けられている。
【０００４】
追い焚き熱交換器１５の入側には、管路１９と、浴槽水を循環させる追い焚き循環ポンプ２１と、戻り管２３とが接続され、戻り管２３には風呂温度センサ４８が設けられている。追い焚き熱交換器１５の出側には往管２４が接続され、往管２４と戻り管２３は、いずれも追い焚き循環金具９を介して浴槽２６に接続されており、循環ポンプ２１の駆動によって、浴槽水を、戻り管２３、管路１９、追い焚き熱交換器１５、往管２４に順に通して循環させる追い焚き循環通路２５が形成されている。追い焚き循環通路２５は、注湯通路１４を介して前記給湯通路１１に接続されており、注湯通路１４には注湯電磁弁１３と水位センサ１２とが設けられている。なお、水位センサ１２は追い焚き循環通路２５側に設けることもできる。
【０００５】
図７には図示されていないが、風呂装置には制御装置が設けられ、制御装置には風呂リモコン装置と台所リモコン装置等のリモコン装置が信号接続されている。リモコン装置の運転スイッチをオンした状態で給湯先に設けられている給湯栓（図示せず）を開くことにより、風呂装置における給湯機能の動作が開始される。この動作は、制御装置の燃焼制御部の制御によって、入水温度センサ６により検出される入水温と、流量センサ２０により検出される給湯流量に基づき、給湯温度センサ８により検出される給湯温（出湯温）が給湯設定温度となるように、給湯バーナ１０を燃焼して行われる。
【０００６】
また、風呂装置における自動運転の機能は、風呂と台所のリモコン装置の少なくとも一方に設けられている自動スイッチをオンすることにより開始するものであり、注湯電磁弁１３が開かれ、給湯機能の動作と同様に給湯熱交換器７を通って加熱された湯が、給湯管路１１から注湯路１４に入り、戻り管２３と往管２４を通して浴槽２６へ落とし込まれる。この湯張りによる浴槽湯水の水位は水位センサ１２によって検出され、この検出値が風呂設定水位になると湯張りは終了する。
【０００７】
湯張りが完了したときに注湯電磁弁１３が閉じられ、風呂温度センサ４８によって検出される検出温度が湯張り設定温度（風呂設定温度）よりも低いときには追い焚き機能の動作が行われる。この追い焚き機能の動作は、循環ポンプ２１が駆動されて浴槽２６の水が追い焚き循環通路２５を通して循環されて行われるものであり、風呂温度センサ４８により検出される検出温度が風呂設定温度になるように追い焚きバーナ１６を燃焼させ、追い焚き熱交換器１５を加熱して行われる。自動運転の動作においては、引き続き、予め設定された設定時間だけ、浴槽水の温度が風呂の設定温度よりも許容範囲を越えて低くならないように、適宜追い焚き動作を行うことによる保温機能の動作が行なわれる。
【０００８】
追い焚き単独運転の機能は、通常、風呂リモコン装置に設けられている追い焚きスイッチが押されたときに、前記追い焚き機能の動作を行うものである。
【０００９】
なお、追い焚き循環金具９の構成は様々なものが提案されているが（例えば、特許文献１、参照）、例えば湯の吸い込み口と湯の吐出口を共に追い焚き循環金具の前面に設け、湯の吸い込み口に設けたフィルタによって浴槽湯水内のゴミを集める構成のものも提案されている（例えば、特許文献２、参照）。
【先行技術文献】
【特許文献】
【００１０】
【特許文献１】特許第３９７８４０５号公報
【特許文献２】特開平１１−２８７５１９号公報
【特許文献３】特許第４６８９０８０号公報
【発明の概要】
【発明が解決しようとする課題】
【００１１】
ところで、前記のような自動運転中または追い焚き単独運転時に浴槽湯水の追い焚きを行う際は、追い焚き循環ポンプ２１の駆動によって浴槽湯水を追い焚き循環通路２５側に吸い込み、追い焚きバーナ１６の燃焼による加熱された湯を浴槽２６内に戻す動作が行われるが、この湯の温度は例えば風呂設定温度よりも２５℃程度高い温度であり、風呂設定温度が４２℃の場合は約６７℃となって、直接触れると熱く感じる温度である。そのため、追い焚き循環金具９の湯の吐出口から吐出される湯が利用者の足等、体に直接的に触れてしまうと、利用者に不快感を与えてしまうといった問題があった。
【００１２】
また、仮に、利用者が追い焚き循環金具の近くに足を伸ばしていたときに追い焚きによって加熱された湯が追い焚き循環金具９の吐出口から吐出された場合、利用者は不快には感じるものの、熱い温度の湯が足に触れることで反射的に足を湯の吐出口から離すために問題はないが、例えば糖尿病の人のように熱さを感じることができない利用者の場合には、追い焚き循環金具９の湯の吐出口近くに足をおいたままの状態で火傷するおそれがあった。近年、糖尿病の患者数が増えてきており、追い焚き時に火傷のおそれがあるといったことは安全上、問題である。
【００１３】
また、追い焚き循環金具９からの湯の吐出流量は湯の追い焚き循環通路２５を循環する湯の流量に対応する。そのため、追い焚き循環通路２５の長さが長い場合や、追い焚き循環金具９の湯の吸い込み口の一部が例えば利用者の体によってふさがれたり、湯の吸い込み口に設けたフィルタに引っかかった浴槽湯水内のゴミによりふさがれたりした場合には、追い焚き循環通路２５を循環する湯の流量が少なくなって追い焚き循環金具９から吐出される湯の温度が例えば８０℃程度まで高くなり、前記火傷のおそれがより高くなるといったことが懸念された。
【００１４】
本発明は、上記課題を解決するためになされたものであり、その目的は、利用者が例えば糖尿病の人であっても、浴槽湯水の追い焚き時に追い焚き循環金具から吐出される湯によって火傷を生じさせることがない、安全で利用しやすい追い焚き循環金具およびその追い焚き循環金具を用いて浴槽に接続される風呂装置を提供することにある。
【課題を解決するための手段】
【００１５】
本発明は上記目的を達成するために、次の構成をもって課題を解決する手段としている。すなわち、第１の発明の追い焚き循環金具は、浴槽の側壁内側に設けられるケース部材を有して、浴槽湯水の追い焚き循環通路に接続される追い焚き循環金具であって、前記ケース部材には前記浴槽への湯の吐出口と、前記浴槽湯水を前記ケース部材内に導入する第１と第２の湯の吸い込み口とが設けられて、該第１の湯の吸い込み口は前記追い焚き循環通路の戻り管側に連通し、前記第２の湯の吸い込み口はフィルタ無しで設けられており、前記ケース部材内には、前記追い焚き循環通路の往管に連通する第１の室と、前記追い焚き循環通路の戻り管に連通する第２の室と、前記第２の湯の吸い込み口に連通する第３の室と、前記第１の室からの湯の導出口を前記浴槽への湯の吐出口に連通させる連通通路とが形成されると共に、前記第３の室が該連通通路を介してまたは該連通通路の外周側を前記第３の室内の湯水が通る態様で前記湯の吐出口に連通し、前記第２の湯の吸い込み口は前記第１の室からの湯の導出口よりも大きく形成されて、該湯の導出口から湯が導出されるときのエゼクタ効果によって浴槽湯水が前記第３の室を介して前記第２の湯の吸い込み口から吸い込まれ、該浴槽湯水が前記第１の室からの湯の導出口から導出される湯に合流して前記連通通路内で混合されて又は該連通通路の外周側を通って混合されて前記湯の吐出口から導出される構成をもって課題を解決するための手段としている。
【００１６】
また、第２の発明の追い焚き循環金具は、前記１の発明の構成に加え、第２の湯の吸い込み口はケース部材の側部側に形成され、湯の吐出口は前記ケース部材の側部下方側に形成されていることを特徴とする。
【００１７】
さらに、第３の発明の風呂装置は、浴槽湯水を循環させる追い焚き循環ポンプと、該追い焚き循環ポンプの駆動によって循環する浴槽湯水の加熱用の追い焚き熱交換器とが設けられている追い焚き循環通路を有し、該追い焚き循環通路が前記第１または第２の発明の追い焚き循環金具を介して浴槽に接続されることを特徴とする。
【発明の効果】
【００１８】
本発明によれば、追い焚き循環金具は、浴槽の側壁内側に設けられるケース部材を有し、該ケース部材には前記浴槽への湯の吐出口と、前記浴槽湯水を前記ケース部材内に導入する第１と第２の湯の吸い込み口とが設けられているが、前記第２の湯の吸い込み口はフィルタ無しで設けられているので、第２の湯の吸い込み口にフィルタを設ける構成と異なり、細かいゴミ等がフィルタに引っかかって第２の湯の吸い込み口が狭くなることを防止できる。
【００１９】
また、本発明において、前記ケース部材内には、前記追い焚き循環通路の往管に連通する第１の室と、前記第１の湯の吸い込み口と前記追い焚き循環通路の戻り管とに連通する第２の室と、前記第２の湯の吸い込み口に連通する第３の室と、前記第１の室からの湯の導出口を前記浴槽への湯の吐出口に連通させる連通通路とが形成されると共に、前記第３の室が該連通通路を介してまたは該連通通路の外周側を前記第３の室内の湯水が通る態様で前記湯の吐出口に連通している。
【００２０】
そして、前記第２の湯の吸い込み口は前記第１の室からの湯の導出口よりも大きく形成されて、該湯の導出口から湯が導出されるときのエゼクタ効果によって浴槽湯水が前記第３の室を介して前記第２の湯の吸い込み口から吸い込まれ、該浴槽湯水が前記第１の室からの湯の導出口から導出される湯に合流し、前記連通通路内で混合されて又は該連通通路の外周側を通って混合されて、前記湯の吐出口から導出されるので、第１の室からの湯の導出口から導出される熱い湯に浴槽湯水が巻き込まれながら、例えば熱い湯の周りを浴槽湯水によって囲むようにして湯の吐出口から吐出させることができる。
【００２１】
つまり、本発明の追い焚き循環金具を適用することによって、追い焚き熱交換器で加熱された熱い湯が熱いまま湯の吐出口から吐出されることがないので、熱い湯の吐出によって利用者に不快感を与えることを防止できるし、たとえ糖尿病の人が湯の吐出口付近に足をおいたままでいたとしても火傷することを防ぐことができる。
【００２２】
また、前記の如く、第２の湯の吸い込み口は、フィルタ無しで設けられていて、フィルタを設ける場合のように細かいゴミ等がフィルタに引っかかって第２の湯の吸い込み口が狭くなることを防止できるため、前記エゼクタ効果を効率的に発揮でき、前記効果を奏することができる。
【００２３】
さらに、本発明において、追い焚き循環金具の第２の湯の吸い込み口をケース部材の側部側に形成することによって、第２の湯の吸い込み口を利用者が足等により塞いでしまう不具合が生じることをより少なくできるし、湯の吐出口をケース部材の側部下方側に形成することによって、湯の吐出口をケース部材の前面に設ける場合に比べ、利用者が湯の吐出口に足等を近づけてしまって湯の吐出口から出る湯に直接的に触れる機会を少なくできる。
【００２４】
さらに、本発明の風呂装置によれば、本発明の追い焚き循環金具を介して浴槽に接続されることにより、前記のように、利用者が快適に利用でき、たとえ利用者が糖尿病の人であっても火傷するおそれのない、安全で利用しやすい風呂装置を実現することができる。
【図面の簡単な説明】
【００２５】
【図１】本発明に係る追い焚き循環金具の一実施例に設けられているケース部材のケース本体の構成（ａ）と動作例（ｂ）を示す模式的な正面図である。
【図２】実施例の追い焚き循環金具に設けられているケース部材と弁体とを示す模式的な斜視図である。
【図３】図２に示した弁体の構成を示す断面説明図である。
【図４】図２に示した弁体の取り付け構造例を示す模式的な断面図である。
【図５】実施例の追い焚き循環金具に設けられているケース部材とカバー部材を示す模式的な斜視図（ａ）と、カバー部材がケース部材に定位置で嵌合しているときの位置関係を模式的に示す断面説明図（ｂ）と、カバー部材が定位置から緩んだときの位置関係を模式的に示す断面説明図（ｃ）である。
【図６】本発明に係る追い焚き循環金具の他の実施例に設けられているケース部材におけるケース本体の構成と動作例を模式的に示す斜視図（ａ）と正面図（ｂ）である。
【図７】風呂装置のシステム構成例を示す模式的な説明図である。
【発明を実施するための形態】
【００２６】
以下、本発明の実施の形態を図面に基づき説明する。なお、本実施例の説明において、これまでの説明と同一名称部分には同一符号を付し、その重複説明は省略または簡略化する。
【実施例】
【００２７】
図２には、本発明に係る追い焚き循環金具の一実施例に設けられているケース部材１７の斜視図が、ケース部材１７に取り付けられる弁体４ａ，４ｂと共に示されており、図１（ａ）にはケース部材１７のケース本体１８の正面図が示されている。本実施例の追い焚き循環金具９は、図２に示されるようなケース部材１７を有し、ケース部材１７は浴槽２６の側壁内側に設けられるものである。ケース部材１７は例えば硬質合成樹脂の成形品により形成され、図示されていない取り付け具を介して浴槽２６の内側に取り付けられている。
【００２８】
なお、前記取り付け具の構成は特に限定されるものでなく、適宜設定されるものであり、これまで提案されている様々な構成や今後提案される構成が適宜適用されるものであるが、例えば、浴槽２６の内側に設けられる内部取り付け具と浴槽２６の外側に設けられる外部取り付け具とを有するものとすることができる。また、外部取り付け具には、追い焚き循環通路２５の往管２４と戻り管２３の一方側が接続される接続管と他方側が接続される接続管とが設けられるように構成することができ、本実施例は、それらの接続管のうち、どちら側に往管２４と戻り管２３の一方が接続されて他方が他方側の接続管に接続されてもよいような、無極性タイプの追い焚き循環金具９と成している。
【００２９】
図２に示されるように、ケース部材１７は、筒体４２を備えたケース本体１８と、該ケース本体１８を覆う蓋部材２２とを有しており、ケース本体１８と蓋部材２２とは、共にその外周部に形成された凹部３６同士を位置合わせした状態で、蓋部材２２のビス挿通部６６とケース本体１８のビス挿通部５６とに挿入される図示されていないビス（図５の符号６７、参照）によって固定される。蓋部材２２には、開口２８，２９が形成されると共に、開口２８と開口２９とが連通することを防ぐショートサーキット防止部材６８が設けられている（図２においてハッチングを施してある）。開口２８は浴槽湯水をケース部材１７内に導入する第１の湯の吸い込み口として機能し、開口２８は後述する第２の室２を介して追い焚き循環通路２５の戻り管２３に連通する。
【００３０】
なお、本実施例の追い焚き循環金具９は前記の如く無極性タイプであるので、蓋部材２２に形成されている開口２８，２９のうちの一方が戻り管２３側に連通して第１の湯の吸い込み口として機能するものであり、追い焚き循環通路２５との接続態様によっては開口２９が第１の湯の吸い込み口となることもあるが、説明を分かりやすくするために、ここでは、開口２８が戻り管２３に連通するように追い焚き循環通路２５が接続されているとして説明する。
【００３１】
図１に示されるように、ケース本体１８には、浴槽２６への湯の吐出口３０がケース部材１７の側部下方側に形成されている。なお、図２に示されている斜視図は、ケース部材１７の構成を分かりやすくするためにケース部材１７の浴槽２６への取り付け角度を実際の角度と周方向にずらして示しており、湯の吐出口３０がケース本体１８の側部中央側（ほぼ真横）に形成されているように示してあるが、ケース本体１８の取り付け角度は図１に示される角度であり、湯の吐出口３０はケース本体１８の側部下方側に設けられる。
【００３２】
また、ケース本体１８には、浴槽湯水をケース部材１７内に導入する第２の湯の吸い込み口３１がケース部材１７の側部がわに形成されており、第２の湯の吸い込み口３１はフィルタ無しで設けられている。ケース部材１７のケース本体１８内には仕切り壁３２が形成されており、図１においては、仕切り壁３２の形成位置とビス挿通部５６および、ケース本体１８の外周壁５２における第２の湯の吸い込み口３１の両側部位と図の左下側のビス挿通部５６の両側領域にハッチングが施されている。
【００３３】
ケース本体１８には、仕切り壁３２によって仕切られた第１の室１と第２の室２とが形成されており、第１の室１は追い焚き循環通路２５の往管２４に連通し、第２の室２は追い焚き循環通路２５の戻り管２３に連通する。また、ケース本体１８には、第１の室１と第２の室２とに連通する連通室３３が形成され、図２、図４に示されるように、連通室３３と第１の室１との間に弁体４ａの吐出弁７１が配置されて、弁体４ａの吸込弁７２がケース本体１８の上側位置において蓋部材２２の開口２９に対応する位置に配置される。
【００３４】
なお、弁体４ａは、例えば図３に示されるように、断面略Ｌ字形状に形成された合成ゴムの一体成形品であり、その一片が矩形板状の吐出弁７１と成し、他片が矩形板状の吸込弁７２と成している。吐出弁７１と吸込弁７２との連結部には略角棒状の弁支持軸７３が設けられており、弁支持軸７３には凹部７３ａが形成されている。
【００３５】
そして、弁支持軸７３の両端部がそれぞれ、第１の室１と連通室３３との連通部の両端の係合部５４（図１、参照）に係合し、図４に示されるように、自然状態においては、弁体４ａの吐出弁７１が連通室３３と第１の室１との間を連通室３３側から閉塞し、弁体４ａの吸込弁７２が第１の室１側から開口２９を閉塞する態様と成している。また、第１の室１が追い焚き循環通路２５の往管２４に接続されている本実施例においては、弁体４ａの吸込弁７２は閉じたままであり、開口２９は閉塞されている。一方、往管２４から第１の室１に湯が導入されると、その湯が弁体４ａの吐出弁７１を連通室３３側に押して開いて、破線矢印Ｈに示されるように連通室３３を通り、図１（ｂ）の実線矢印Ｈに示されるように、連通室３３の湯の導出口３４から導出されるように構成されており、湯の導出口３４は第１の室１からの湯の導出口と成している。
【００３６】
なお、弁体４ｂも弁体４ａと同様に形成されており、自然状態において、弁体４ｂの吐出弁７１が連通室３３と第２の室２との間を連通室３３側から閉塞し、弁体４ｂの吸込弁７２が第２の室２側から開口２８を閉塞する態様と成している。そして、追い焚き循環通路２５の追い焚き循環ポンプ２１の駆動により戻り管２３側が負圧になると、吸込弁７２がケース本体１８側に開いて開口２８から浴槽湯水が導入される。また、第２の室２が追い焚き循環通路２５の戻り管２３に接続されている本実施例においては、追い焚き動作時には弁体４ｂの吐出弁７１は閉じたままであり、第２の室２と連通室３３とは吐出弁７１によって分離される。
【００３７】
また、図１に示されるように、ケース本体１８には、第１の室１からの湯の導出口（連通室３３からの湯の導出口）３４を浴槽２６への湯の吐出口３０に連通させる連通通路３５と、第２の湯の吸い込み口３１に連通する第３の室３とが形成されている。第３の室３は第１の室１からの湯の導出口３４にも連通しており、第３の室３は連通通路３５を介して（通して）湯の吐出口３０に連通している。
【００３８】
第２の湯の吸い込み口３１は第１の室１からの湯の導出口３４よりも大きく形成されており、該湯の導出口３４から湯が導出されるときのエゼクタ効果によって、図１（ｂ）の矢印Ｃに示されるように、浴槽湯水が第３の室３を介して第２の湯の吸い込み口３１から吸い込まれ、該浴槽湯水が第１の室１からの湯の導出口３４から矢印Ｈに示されるように導出される湯に合流して連通通路３５を通ることにより混合され、湯の吐出口３４から導出される構成と成している。
【００３９】
また、図５（ａ）に示されるように、ケース部材１７にはカバー部材３７が着脱自在に取り付けられるものである。カバー部材３７は例えば硬質合成樹脂により形成され、その前面の開口部３８に金属製の網状のフィルタ３９が設けられ、カバー部材３７の側面にはケース本体１８の湯の吐出口３０と第２の湯の吸い込み口３１とに対応する位置にそれぞれ開口部４０，４１が形成されている。
【００４０】
なお、本実施例において、カバー部材３７はケース部材１７に対して定位置から周方向に許容範囲内で回転可能に装着され、その回転許容範囲を超えると外れるように形成されている。つまり、図５（ｂ）には、カバー部材３７がケース部材１７に対して定位置にある状態について、ケース本体１８の第２の湯の吸い込み口３１と湯の吐出口３０の近傍を示す断面図により示されており、図５（ｃ）には、カバー部材３７がケース部材１７に対して定位置から周方向に許容範囲内で最大限回転した状態について、ケース本体１８の第２の湯の吸い込み口３１と湯の吐出口３０の近傍を示す断面図により示されており、ケース本体１８とカバー部材３７との相対位置は、図５（ｂ）から図５（ｃ）の範囲内で変動することがある。
【００４１】
それに対し、本実施例では、カバー部材３７がケース部材１７に定位置で装着されていても、カバー部材３７が緩んでケース部材１７の周方向に許容範囲内で回転していても、第２の湯の吸い込み口３１の面積が前記エゼクタ効果を十分に発揮できるように形成されている。つまり、図５（ｂ）と図５（ｃ）とに示すように、カバー部材３７がケース部材１７に定位置で装着されていても、カバー部材３７が緩んでケース部材１７の周方向に許容範囲内で回転していても、第２の湯の吸い込み口３１と開口部４０とが重なっている部分の開口面積Ｓ１とＳ２は同等となり、前記エゼクタ効果によって浴槽湯水を吸い込むのに十分な面積が確保されるように形成されている。
【００４２】
また、湯の吐出口３０側の開口面積も、カバー部材３７がケース部材１７に定位置で装着されている図５（ｂ）の状態（Ｓ３）も、カバー部材３７が緩んでケース部材１７の周方向に許容範囲内で回転している図５（ｃ）の状態（Ｓ４）も同等となるように形成され、前記エゼクタ効果による熱くない湯の吐出が良好に行われる。なお、カバー部材３７はケース部材１７よりも大きめに形成されて、湯の吐出口３０に利用者の身体などが直接当たらないように形成されている。
【００４３】
本実施例は以上のように構成されており、本実施例の追い焚き循環金具９を介して浴槽２６に風呂装置の追い焚き循環通路２５を接続することにより、湯張り時には、追い焚き循環通路２５の往管２４と戻り管２３からそれぞれ浴槽２６内に湯を送るので、往管２４から第１の室１に導入された湯が弁体４ａの吐出弁７１を連通室３３側に押して開いて連通室３３を通り、連通室３３の湯の導出口３４から導出され、また、戻り管２３から第２の室２に導入された湯が同様に、弁体４ｂの吐出弁７１を連通室３３側に押して開いて連通室３３を通り、連通室３３の湯の導出口３４から導出される。
【００４４】
また、追い焚き動作時には、前記の如く、開口２８から吸い込まれる浴槽湯水が弁体４ｂの吸込弁を押して第２の室２に導入され、戻り管２３に導入されて追い焚き循環通路２５を循環し、往管２４から第１の室１に導入される。そして、この湯が弁体４ａの吐出弁７１を連通室３３側に押して連通室３３を通り、連通室３３の湯の導出口３４から導出されるが、このとき、前記の如く、エゼクタ効果によって浴槽湯水が第３の室３を介して第２の湯の吸い込み口３１から吸い込まれ、該浴槽湯水が第１の室１からの湯の導出口３４から導出される熱い湯に合流し、連通通路３５を通ることにより混合されて、熱い湯の周りを浴槽湯水によって囲むようにして湯の吐出口３０から導出される。
【００４５】
つまり、本実施例によれば、追い焚き動作時に、追い焚熱交換器１５によって加熱された熱い湯がそのまま吐出されることがないので、熱い湯の吐出によって利用者に不快感を与えることを防止でき、また、たとえ糖尿病の人が湯の吐出口３０付近に足をおいたままでいたとしても火傷することを防ぐことができる。
【００４６】
なお、本発明は、前記実施例に限定されるものでなく、様々な態様を採り得る。例えば、前記実施例では、図１の向かって右側の室（符号１）を追い焚き循環通路２５の往管２４の連通する第１の室とし、向かって左側の室（符号２）を追い焚き循環通路２５の戻り管に連通する第２の室としたが、前記の如く、前記実施例の追い焚き循環金具は無極性タイプであるので、実施例の記述とは逆に、図１の向かって右側の室（符号１）を追い焚き循環通路２５の戻り管２３の連通する第２の室とし、向かって左側の室（符号２）を追い焚き循環通路２５の往管２４に連通する第２の室となることもある。この場合は、追い焚き動作時における弁体４ａと弁体４ｂの動作が互いに逆になり、熱い湯が図１（ｂ）の破線矢印Ｈに示されるように、向かって左側の室（符号２）から導出されるが、その場合でも、連通室３３からの湯の導出口３４が第１の室からの湯の導出口となり、前記実施例と同様の効果を奏することができる。
【００４７】
また、本発明の追い焚き循環金具は、必ずしも前記実施例のように無極性タイプのものとは限らず、極性があるもの（追い焚き循環通路２５の往管２４に接続される室と戻り管２３に接続される室とが固定のもの）であってもよい。
【００４８】
さらに、ケース本体１８の連通通路２５に、例えば通路の内側に突出する凸部を適宜形成し、湯の導出口３４から導出される熱い湯と第２の湯の吸い込み口３１から吸い込まれる浴槽湯水とが連通通路２５を通るときに攪拌されながら混合するように形成してもよい。
【００４９】
さらに、例えば図６に示されるように、連通通路３５が第３の室３の底面側を横切るような態様として連通通路３５の上面側（蓋部材２２に対向する側）には湯水が通れる空間を形成し、連通通路３５の外周側を湯水が通る態様で第３の室３を湯の吐出口３０に連通させる態様に形成してもよい。そして、エゼクタ効果によって第２の湯の吸い込み口３１から第３の室３内に吸い込まれた浴槽湯水が連通通路３５の周りを通って湯の吐出口３０から吐出され（矢印Ｃ、参照）、図の実線矢印Ｈに示されるようにして連通通路３５を通った熱い湯と合流混合されるようにしてもよい。なお、この矢印Ｈにおいて、熱い湯が連通通路３５を通る部分は破線としている。
【００５０】
また、図６において、向かって左側の室（符号２）から連通室３３を通る態様で示されている破線矢印Ｈは、向かって左側の室（符号２）を追い焚き循環通路２５の往管２４に連通する第１の室とした場合の、第１の室から導出される湯の経路を示している。
【００５１】
さらに、ケース部材１７の詳細な構成は適宜設定されるものであり、例えば第１の湯の吸い込み口を追い焚き循環金具９の前面に形成せずに側面がわに形成してもよいし、ケース部材１７の形成材料や形状、大きさ等も適宜設定されるものである。
【００５２】
つまり、本発明において、追い焚き循環金具９は、ケース部材１７に、湯の吐出口３０と、追い焚き循環通路２５の戻り管２３側に連通する第１の湯の吸い込み口と、浴槽湯水を吸い込むフィルタ無しの第２の湯の吸い込み口３１と、追い焚き循環通路２５の往管２４に連通する第１の室１と、追い焚き循環通路２５の戻り管２３に連通する第２の室２と、第２の湯の吸い込み口３１に連通する第３の室３と、第１の室１からの湯の導出口３４を浴槽２６への湯の吐出口３０に連通させる連通通路３５とを形成し、第２の湯の吸い込み口３１を第１の室１からの湯の導出口３４よりも大きく形成して、該湯の導出口３４から湯が導出されるときのエゼクタ効果によって浴槽湯水を第３の室３を介して第２の湯の吸い込み口３１から吸い込み、第１の室１からの湯の導出口３４から導出される湯に合流混合されて湯の吐出口３０から導出される構成と成していればよい。
【００５３】
さらに、本発明の風呂装置は、本発明の追い焚き循環金具を介して追い焚き循環通路を浴槽に接続して形成されていればよく、そのシステム構成や制御構成は適宜設定されるものである。例えばガス燃焼式の代わりに石油燃焼式のバーナを有していてもよいし、給湯側の回路を省略することもできるし、給湯側に加え、暖房用の回路や発電装置の廃熱を利用する構成を有するもの等、様々なシステム構成のものを適用することができる。
【産業上の利用可能性】
【００５４】
本発明は、追い焚き動作時に熱い湯が浴槽に吐出することによる不快感を利用者に与えることなく、たとえ利用者が糖尿病の人でも火傷することのない安全な追い焚き循環金具を提供できるので、例えば家庭用や業務用の風呂装置に適用できる。
【符号の説明】
【００５５】
１                第１の室
２                第２の室
３                第３の室
４ａ、４ｂ        弁体
９                追い焚き循環金具
１５              追い焚き熱交換器
１６              追い焚きバーナ
１７              ケース部材
１８              ケース本体
２１              追い焚き循環ポンプ
２３              戻り管
２４              往管
２５              追い焚き循環通路
２６              浴槽
３０              湯の吐出口
３１              第２の湯の吸い込み口
３２              仕切り壁
３３              連通室
３４              湯の導出口
３５              連通通路
４０，４１        開口部
【図１】
2015230106.tif 000003
【図２】
2015230106.tif 000004
【図３】
2015230106.tif 000005
【図４】
2015230106.tif 000006
【図５】
2015230106.tif 000007
【図６】
2015230106.tif 000008
【図７】
2015230106.tif 000009